(57)【要約】【課題】電子カメラ付き携帯電話を使用して、何時でも何処でも誰もが簡単に、静止視力を測定できるようにする。【解決手段】情報処理局の規格ファイルには携帯電話の電子カメラにより得た大きさが既知の物体をこれらの距離を所定刻みで変化させ、撮影することによりに複数の映像データを予め作成して記憶する。会員ファイルにはカメラ付き携帯電話から個人情報を送信して会員登録を行う。受付プログラムは会員登録を行う者には目盛付き物指とともに顔の写真を電子カメラで撮影した基準イメージデータを送信するように指示する。算出プログラムはこの基準イメージデータから顔の実の長さを算出して、会員ファイルに属性データとして追加する。以後発呼者は情報処理局に対して携帯電話からアクセスする際は、カメラ付き携帯電話に表示された記号等を自己の目で明確に見える位置で顔の写真を撮影して映像イメージデータを送信する。算出プログラムはこの映像イメージデータを属性データと複数の映像データと照合して、視力データを算出する。【選択図】  図４
2004337546.tif 000002
【特許請求の範囲】
【請求項１】
情報処理局に対して無線通信回線を介して複数のカメラ付き携帯電話がアクセス可能なシステムにおいて、
前記情報処理局に規格ファイルと会員ファイルと受付プログラムと算出プログラムを設け、前記規格ファイルには前記カメラ付き携帯電話の電子カメラにより得た大きさが既知の物体をこれらの距離を所定刻みで変化させて、撮影することによりに複数の映像データを予め作成して記憶し、
前記会員ファイルには発呼者がカメラ付き携帯電話を介して個人情報を送信して会員登録を行い、前記受付プログラムは会員登録を行う発呼者には目盛付き物指とともに顔の写真を前記電子カメラで撮影した基準イメージデータを送信するように指示し、
算出プログラムはこの基準イメージデータから前記顔の所定方向の実の長さを算出して、前記会員ファイルに属性データとして追加し、
以後発呼者が情報処理局に対してカメラ付き携帯電話からアクセスする際は、このカメラ付き携帯電話に表示された数字又は文字又は記号が自己の目で明確に見える位置で顔の写真を前記電子カメラで撮影して得られた映像イメージデータを送信し、
前記算出プログラムはこの映像イメージデータを前記属性データと前記規格ファイル内の複数の映像データと照合して、発呼者の視力データを算出し、次に発呼者にこの視力データを送信するとともに前記会員ファイルに記録することを特徴とする視覚能力を測定する方法。
【請求項２】
前記大きさが既知の物体はほぼ真円の円盤であることを特徴とする請求項１に記載の視覚能力を測定する方法。
【請求項３】
前記明確に見える位置は、左右両眼または左目または右目で決めることを特徴とする請求項１に記載の視覚能力を測定する方法。
【請求項４】
前記顔の所定方向の実の長さは両目の間隔であることを特徴とする請求項１に記載の視覚能力を測定する方法。
【請求項５】
前記カメラ付き携帯電話に表示された数字又は文字又は記号は電子画面に書き換え可能に電子表示されたものであることを特徴とする請求項１に記載の視覚能力を測定する方法。
【請求項６】
前記電子表示されたものはサイズが変化可能なランドルトマークであることを特徴とする請求項５に記載の視覚能力を測定する方法。
【請求項７】
情報処理局に対して無線通信回線を介して複数のカメラ付き携帯電話がアクセス可能な構成を利用し、
前記前記情報処理局には前記カメラ付き携帯電話の電子カメラにより大きさが既知の物体をこれらの距離を所定刻みで変化させて、撮影することにより得た複数の映像データを予め作成して記憶した規格ファイルと、
発呼者がカメラ付き携帯電話を介して送信した個人情報によりを会員登録が行われる会員ファイルと、
会員登録を行う発呼者には目盛付き物指とともに顔の写真を前記電子カメラで撮影して得られた基準イメージデータを送信するように指示する命令を保持する受付プログラムと、
この基準イメージデータから前記顔の所定方向の実の長さを算出して、前記会員ファイルに属性データとして追加する算出プログラムとを設け、
以後発呼者が情報処理局に対してカメラ付き携帯電話からアクセスする際は、このカメラ付き携帯電話に表示された数字又は文字又は記号が自己の目で明確に見える位置で顔の写真を前記電子カメラで撮影して得た映像イメージデータを送信し、
算出プログラムは映像イメージデータを前記属性データと前記規格ファイル内の複数の映像データと照合して、発呼者の視力データを算定し、次に発呼者にこの視力データを送信するとともに前記会員ファイルに記録することを特徴とする視覚能力を測定する装置。
【請求項８】
電子表示装置の画面に静止視力検査用にサイズの異なる記号又は文字又は数字又はランドルト環を表示し、各サイズ毎に被検査者が視覚認識結果を応答して、この結果の正誤を判定して静止視力を判定する視覚能力を測定する方法であって、被検査者が電子シャッター付きの両眼眼鏡を透して前記画面を見るようにし、電子シャッターは所定時間毎に左または右の眼鏡を択一的に閉じるようにし、左または右の眼の視力測定を行うことを特徴とする視覚能力を測定する方法。
【請求項９】
静止視力検査用のサイズの異なる記号又は文字又は数字又はランドルト環を発生する図形発生部と、静止視力検査用にこれら図形を画面に表示する電子表示装置と、各サイズ毎に被検査者が視覚認識結果を応答する入力部と、この応答データに関し正誤を判定して静止視力を判定する測定部と、被検査者が前記画面を見るようにして着用する電子シャッター付きの両眼眼鏡と、この電子シャッターを所定時間毎に左または右の眼鏡を択一的に閉じるようにした開閉制御部とからなり、左または右の眼の視力測定を行うことを特徴とする視覚能力を測定する装置。
【発明の詳細な説明】
【０００１】
【発明の属する技術分野】
この発明は、本発明は、視覚能力を測定する方法と装置に関し、特に、カメラ付き携帯電話を利用して簡易に視覚能力を測定する方法と装置に関する。
【０００２】
【従来の技術】
静止視力は壁に書けたランドルト環を所定距離離れて左右の目でそれぞれ注視して、その切り欠き方向を被験者が答えることで行われている。
近年テレビ画面や電子表示装置を見つめる生活、仕事が増えて静止視力が衰えた人が増えている。
一方各種スポーツ界では、身体能力のみならず、優れた視覚能力を有することが必要とされ、目に関する強化訓練を行い、日常的に視力の測定を見ながら技の向上が図られている。
【０００３】
その他、電子機器を利用した又視力計や視覚能力測定装置には、特許公報では特開平１１−１６４８１５、特開平１１−２３５３１４、特開２０００−２３７１３３、特開２００１−１３７２１９がある。
その他視力計や視覚能力測定装置や方法については、スポーツビジョン研究会による「スポーツのための視覚学」１８８７年１１月１３日発行、有限会社ナップに詳しく解説されている。
【０００４】
【発明が解決しようとする課題】
ランドルト環を見る方法では、被験者の他に大小各種のランドルト環を棒などで指示する人と、検査場所の空間が必要である。また左右の目を交替で覆うお椀状の道具が必要で被験者は片手を使用し左右の目を交替で道具により覆う必要があった。
【０００５】
また特許公報の特開平１１−１６４８１５等の装置では、新たに比較的高価な装置を購入し、所定の部屋の机上におかなければならなかった。
この発明は、日本人の３０％以上が保有する電子カメラ付き携帯電話そ使用して、何時でも何処でも誰もが簡単に、静止視力を測定できる方法と装置を提供することを目的とする。
【０００６】
【課題を解決するための手段】
この発明は、上記問題を解決するためになされたもので、第１の発明では、情報処理局に対して無線通信回線を介して複数のカメラ付き携帯電話がアクセス可能なシステムにおいて、前記情報処理局に規格ファイルと会員ファイルと受付プログラムと算出プログラムを設け、前記規格ファイルには前記カメラ付き携帯電話の電子カメラにより得た大きさが既知の物体をこれらの距離を所定刻みで変化させて、撮影することによりに複数の映像データを予め作成して記憶し、前記会員ファイルには発呼者がカメラ付き携帯電話を介して個人情報を送信して会員登録を行い、前記受付プログラムは会員登録を行う発呼者には目盛付き物指とともに顔の写真を前記電子カメラで撮影した基準イメージデータを送信するように指示し、算出プログラムはこの基準イメージデータから前記顔の所定方向の実の長さを算出して、前記会員ファイルに属性データとして追加し、以後発呼者が情報処理局に対してカメラ付き携帯電話からアクセスする際は、このカメラ付き携帯電話に表示された数字又は文字又は記号が自己の目で明確に見える位置で顔の写真を前記電子カメラで撮影して得られた映像イメージデータを送信し、前記算出プログラムはこの映像イメージデータを前記属性データと前記規格ファイル内の複数の映像データと照合して、発呼者の視力データを算出し、次に発呼者にこの視力データを送信するとともに前記会員ファイルに記録する。
【０００７】
実施形態では、前記大きさが既知の物体はほぼ真円の円盤とする、また前記明確に見える位置は、左右両眼または左目または右目で決めるようにする。
更に、前記顔の所定方向の実の長さは両目の間隔でとする、なお更に、前記カメラ付き携帯電話に表示された数字又は文字又は記号は電子画面に書き換え可能に電子表示されたものとする。そこで前記電子表示されたものはサイズが変化可能なランドルトマークとする。
【０００８】
第２発明では、情報処理局に対して無線通信回線を介して複数のカメラ付き携帯電話がアクセス可能な構成を利用し、前記前記情報処理局には前記カメラ付き携帯電話の電子カメラにより大きさが既知の物体をこれらの距離を所定刻みで変化させて、撮影することにより得た複数の映像データを予め作成して記憶した規格ファイルと、発呼者がカメラ付き携帯電話を介して送信した個人情報によりを会員登録が行われる会員ファイルと、会員登録を行う発呼者には目盛付き物指とともに顔の写真を前記電子カメラで撮影して得られた基準イメージデータを送信するように指示する命令を保持する受付プログラムと、この基準イメージデータから前記顔の所定方向の実の長さを算出して、前記会員ファイルに属性データとして追加する算出プログラムとを設ける。以後発呼者が情報処理局に対してカメラ付き携帯電話からアクセスする際は、このカメラ付き携帯電話に表示された数字又は文字又は記号が自己の目で明確に見える位置で顔の写真を前記電子カメラで撮影して得た映像イメージデータを送信し、算出プログラムは映像イメージデータを前記属性データと前記規格ファイル内の複数の映像データと照合して、発呼者の視力データを算定し、次に発呼者にこの視力データを送信するとともに前記会員ファイルに記録する装置とする。
【０００９】
第３発明では、電子表示装置の画面に静止視力検査用にサイズの異なる記号又は文字又は数字又はランドルト環を表示し、各サイズ毎に被検査者が視覚認識結果を応答して、この結果の正誤を判定して静止視力を判定する視覚能力を測定する方法であって、被検査者が電子シャッター付きの両眼眼鏡を透して前記画面を見るようにし、電子シャッターは所定時間毎に左または右の眼鏡を択一的に閉じるようにし、左または右の眼の視力測定を行う。
【００１０】
第４発明では、静止視力検査用のサイズの異なる記号又は文字又は数字又はランドルト環を発生する図形発生部と、静止視力検査用にこれら図形を画面に表示する電子表示装置と、各サイズ毎に被検査者が視覚認識結果を応答する入力部と、この応答データに関し正誤を判定して静止視力を判定する測定部と、被検査者が前記画面を見るようにして着用する電子シャッター付きの両眼眼鏡と、この電子シャッターを所定時間毎に左または右の眼鏡を択一的に閉じるようにした開閉制御部とからなり、左または右の眼の視力測定を行う装置とする。
【００１１】
【発明の実施の形態】
以下、添付図面を参照しつつ本発明の実施形態について説明する。
まず、図１は第１及び第２の発明が実施されるネットワーク全体の構成である。交換局を含む電話網１には視力センターの判定局２が交信可能に接続されている。
また電話網１に対しては複数のカメラ付き携帯電話３が交信可能なっている。カメラ付き携帯電話３は、書面又は裏面にレンズを備えた電子カメラを内蔵している。その詳細は、公報の特開２００１−２２３９２４に詳しく記載があるので、説明は省略する。
【００１２】
図２において、情報処理局となる判定局２に通信機能のあるコンピュータ使用した一実施例について詳しく説明する。
判定局２は、論理回路部（ＣＰＵ）４と会員ファイル５と規格ファイル６と算出プログラム７と受付プログラム８と通信用モデム９とで構成される。
登録の段階では、カメラ付き携帯電話３から判定局２の電話番号１９２８…に、電波により電話網１を介して電話をかける（申し込み送信）。その時には自局（発呼者のこのカメラ付き携帯電話３）の固有電話番号例えば０９０−９８７６−５４３２も送信される。
【００１３】
判定局２では、着信電話をモデム９を通じて受信すると、受付プログラム８が起動し、ＣＰＵ４は、視力判定を申請する申し込みの契約内容を発呼者のカメラ付き携帯電話３に返送する。契約内容は図２の会員ファイル５のようなもので、項目毎に入力を促し、登録料金と使用料金とが提示される。
発呼者のカメラ付き携帯電話３ではこの内容を受信して画面に表示する。
発呼者はその内容を理解し、申し込みを行う。住所、氏名、クレジットカード番号等を入力し、判定局２に送信する。
【００１４】
判定局２では接続（受信）中にある携帯電話３の固有番号０９０−９８７６−５４３２とともに、住所、氏名、クレジットカード番号等を会員ファイル５に登録する。
次に、判定局２のＣＰＵ４は発呼者に顧客基本データを計測する案内と、その計測結果値を送信するようにとの案内を送る。この計測は申し込み後一旦電話を切断して、準備が整ってから再接続し、送信してもよい。
顧客基本データを計測する案内では、図３に示す「ｃｍ」長さ目盛の入った物指１０を水平に顔Ｆの額に当て、自分の顔Ｆを正面から撮影するように指示する。
【００１５】
図４に示すようにカメラ付き携帯電話３を右（左）手に持ち、左（右）手で物指１０を図３のように保持し、自分の顔写真を家族や友人に送る際に行う状態で撮影する。
図３の物指１０付き顔Ｆ写真は、図４の矢印のように腕を屈伸することで、顔Ｆとカメラのレンズ（携帯電話３）との距離Ｄを調整する。そこで顔Ｆが携帯電話３の画面全面に写るように撮影し、そうすることで、左右目の間隔がより正確に測定できる。
このようにして撮影した物指１０付き正面顔Ｆ写真は、基準イメージデータとして判定局２に送られる。
【００１６】
判定局２では、受信した物指１０付き正面顔Ｆ写真からＣＰＵ４は算出プログラム７により、図３に示す発呼者の両眼の間隔Ｌ（実間隔で、個人常数である）を既知の物指１０の長さと、写真上のイメージの長さとから算出する。この手法は画像解析業界では長さのキャリブレーションと称される公知のものである。
カメラ付き携帯電話３の表示画面の縦（長さ）横（幅）サイズは規格され、一定（例えば約幅３ｃｍｘ長さ５ｃｍ）であり、両眼の間隔Ｌが画面ではＰｃｍの長さで表示される。相関関係を関数式Ｇで関数表現すると、
画面のイメージＰｃｍ＝Ｌ（個人常数）・Ｇ（幅３ｃｍｘ長さ５ｃｍ）となる。
【００１７】
一方、図２に示すように、判定局２の規格ファイル６には、カメラ付き携帯電話３により直径１０ｃｍの円盤基準物１１を撮影した場合の多くのデータが予め記憶されている。この規格ファイル６中の撮影距離とイメージサイズのデータ表は判定局２を運営する会社が詳しく計測して準備する。
図５において、目盛りの付いたテーブル１２にカメラ付き携帯電話３を固定し、例えば直径Ｈ＝１０ｃｍの円盤基準物１１を近くのＤ１＝１０ｃｍで撮影し、所定刻みで円盤基準物１１をＤ２…Ｄ３＝９０ｃｍまで遠ざけながら毎回撮影する。
【００１８】
所定刻み値が狭いほど細かな映像サイズが数多く得られる。
円盤基準物１１を使用する理由は、カメラ付き携帯電話３のカメラの撮影特性が縦横に均等であり、歪が無いかどうかを確認するためである。
図５の上方に説明的に表示画面を示すように、１０ｃｍの円盤基準物１１とカメラ付き携帯電話３の距離が１０ｃｍ→９０ｃｍと遠くになるほど画面（一定の広さに対して）上で、円盤基準物１１の映像サイズは２１、２２、２３と次第に短くなる。図中⇔は図３の物指１０を想定して説明的に表示した。
【００１９】
例えば距離Ｄ＝１０ｃｍなら画面一杯となり映像サイズは３ｃｍ、視角α
距離Ｄ＝１５ｃｍなら映像サイズは２．５ｃｍ、視角β
距離Ｄ＝２０ｃｍなら映像サイズは２．１ｃｍ、
距離Ｄ＝３０ｃｍなら映像サイズは２ｃｍ、
距離Ｄ＝４０ｃｍなら映像サイズは１．８ｃｍ、視角γ
距離Ｄ＝５０ｃｍなら映像サイズは１．５ｃｍ…と、視角α＞β＞γとなる。
【００２０】
このデータを表にしたものを、図２の規格ファイル６に予め判定局２を運営する会社側で作成し、記憶しておく。
図２の規格ファイル６の表を参照すれば、図３で両眼の距離Ｌ（個人常数）に関しては、図４に示す両眼とカメラ付き携帯電話３の距離Ｄが１０ｃｍ→９０ｃｍと遠くになるほど、画面上の両眼の映像イメージ上間隔Ｐも短くなることが理解できる。
【００２１】
従って、両眼の間隔Ｌと１０ｃｍの円盤基準物１１は比例により、両眼の映像イメージの間隔についてＣＰＵ４は算出プログラム７によりＬ（個人常数）／１０ｃｍ倍し、
距離Ｄ１＝１０ｃｍなら両眼の映像イメージの間隔はＰ１＝Ｌ／１０・３ｃｍ、
距離Ｄ２＝１５ｃｍなら両眼の映像イメージの間隔はＰ２＝Ｌ／１０・２．５ｃｍ、
距離Ｄ３＝２０ｃｍなら両眼の映像イメージの間隔はＰ３＝Ｌ／１０・２．１ｃｍ、
距離Ｄ４＝３０ｃｍなら両眼の映像イメージの間隔はＰ４＝Ｌ／１０・１．８ｃｍ、
距離Ｄ５＝４０ｃｍなら両眼の映像イメージの間隔はＰ５＝Ｌ／１０・１．５ｃｍ、
距離Ｄ６＝５０ｃｍなら両眼の映像イメージの間隔はＰ６＝Ｌ／１０・１．２ｃｍ等と以下同様に計算できる。
【００２２】
Ｄ１からＤｎ（ｎは２，３，４，５…の数）までの移動刻みを細かくすれば、両眼の映像イメージの間隔もＰ１からＰｎと細かく把握できる。
次に、カメラ付き携帯電話３の所有者が、自己の視力を測定する方法を説明する。携帯電話３から判定局２に電話をする。判定局２では発呼者が５に登録された会員かどうかをＣＰＵ４は判定する。会員に対してＣＰＵ４はカメラ付き携帯電話３により自己の最新の顔写真を撮影し、送信するように指示する。
【００２３】
撮影方法は、図４においてカメラ付き携帯電話３上の所定の数字や文字がはっきり見える位置まで腕を伸ばして、撮影するように指示する。
裸眼で測定する場合、近眼なら携帯電話３は顔Ｆに接近しＤ１へ、老眼なら遠くに離すＤ３へ移動して撮影されることになる。
かくして図５上方のいずれかに該当する顔写真が映像イメージデータとして判定局２に送られる。
【００２４】
判定局２のＣＰＵ４は受信した顔イメージと規格ファイル６を参照して算出プログラム７により、両眼の映像イメージの間隔Ｐ１〜Ｐ６が分かるので、図４の距離Ｄを逆に算出する。
更に算出した距離ＤからＣＰＵ４はその視力２．０から０．０１等を算出する。即ちその時の目とカメラ付き携帯電話との距離Ｄで視力を割り出すようにしている。距離Ｄから視力２．０〜０．０１等を算出することは予め、判定局２側でＣＰＵ４等が行ってデータを保有しておくことができる。
判定局２のＣＰＵ４はこの判定距離Ｄと換算視力を接続中の発呼者に報告し、判定局２に日付けと共に記録する。
【００２５】
会員は時々判定局２をアクセスして自己の視力の判定を依頼できる。判定局２では規定の会員会費と測定毎の料金を課金して会員ファイル５に記録し、所定の手順で請求し，清算する。
前述した特開平１１−１６４８１５等の視力訓練装置やその他の視力回復法や機器で訓練した後の回復効果や、仕事の疲れによる視力低下を簡単に何時何処でも測定でき、自己の目の健康管理を行うことができる。
【００２６】
従って、カメラ付き携帯端末の電話を利用すれば、専門測定所に行くこと無く、電話代程度の費用で健康管理を行うことができる。勿論眼科院などのように、医学的に正確な視力検査ではないが、視力の目安としての正確性は充分に保証されたものである。
なお両眼の映像イメージの間隔を使用したのは、黒い瞳は濃淡によるデジタル検出が容易正確のためであり、検出精度が高い場合は顔そのものの幅や高さを検出して、その映像イメージの長さを利用してもいい。
【００２７】
次に図６において、第３、４の発明を説明する。
本装置は電子表示装置２８と入力部２４と判定部２７と電子シャッター付きの両眼眼鏡３０と開閉制御部とから構成される。また開閉制御部は切り替え部２５とシャッター信号発生部２９とから構成される。
図形発生部２６は静止視力検査用のサイズの異なる記号又は文字又は数字又はランドルト環等の図形を発生する電子表示装置２８には静止視力検査用にサイズの異なるランドルト環（図６で表示）等の図形を画面に表示する。各サイズの表示毎に被検査者が視覚認識結果を入力部２４から応答する。
【００２８】
この応答データに関し判定部２７は正誤を判定して静止視力を判定する。被検査者は電子シャッター付きの両眼眼鏡３０を画面を見るために着用する。
開閉制御部の切り替え部２５は左または右の眼鏡を択一的に閉じるよう指示し、シャッター信号発生部２９は択一的指示信号に従い赤外線信号Ｒを両眼眼鏡３０に向けて放射する。シャッター信号発生部２９は図６では赤外線発光装置を示しているが、有線により択一的指示信号を両眼眼鏡３０に送るようにしてもよい。
【００２９】
電子表示装置２８と入力部２４と判定部２７と切り替え部２５とは、汎用コンピュータの表示部と入力キーと中央演算装置を使用することができる。
両眼眼鏡３０の電子シャッターを所定時間毎に開閉して、所定サイズのランドルト環を電子表示装置２８に表示する。被験者が左又は右の一方の目で認識した後に、切り欠き方向を入力部２４の矢印キーにより応答する。
【００３０】
判定部２７はこの応答データと表示されたランドルト環データとを比較して正誤を判定する。表示されるランドルト環のサイズうを大→小に変化させて同様に判定し視力を評価し、所定の記録部に記録したり、電子表示装置２８に表示する。左右の目に関して同様に視覚能力を測定する。
なお、電子映像を見る際に使用するシャッター付き眼鏡と赤外線発光装置等については、ＵＳＰ５８０８５８８に詳細に開示があるので説明は省略する。
【００３１】
【発明の効果】
第１、２発明によれば多くの市民や国民が保有する電子カメラ付き携帯電話を使用して、何時でも何処でも誰もが簡単に、一人で静止視力を測定できるようになった。また情報処理局は視力判定サービスを事業として確立できることになる。
第３、４発明によれば、他人の労力を要することなく、事務所や自宅のパソコンで一人でも自由に視力の測定が可能となる。
【図面の簡単な説明】
【図１】この発明の第１及び第２発明の視覚能力を測定する方法と装置に利用する全体の構成を示す図である。
【図２】この発明の第１及び第２発明の視覚能力を測定する方法と装置の判定局の詳細構成図である。
【図３】この発明の第１及び第２発明の視覚能力を測定する方法の工程を説明する図である。
【図４】この発明の第１及び第２発明の視覚能力を測定する方法の他の工程を説明する図である。
【図５】この発明の第１及び第２発明の視覚能力を測定する方法の原理を説明する図である。
【図６】この発明の第３及び第４発明の視覚能力を測定する方法と装置に利用する全体の構成を示す図である。
【符号の説明】
１  電話網
２  判定局
３  カメラ付き携帯電話
４  論理回路部（ＣＰＵ）
５  会員ファイル
６  規格ファイル
７  算出プログラム
８  受付プログラム
９  通信用モデム
１０  物指
１１  円盤基準物
１２  テーブル
２１、２２、２３  映像サイズ
２４  入力部
２５  切り替え部
２６  図形発生部
２７  判定部
２８  電子表示装置
２９  シャッター信号発生部
３０  電子シャッター付きの両眼眼鏡
Ｄ  距離
Ｌ  両眼の実間隔
Ｐ  映像イメージの両眼の間隔
【図１】
2004337546.tif 000003
【図２】
2004337546.tif 000004
【図３】
2004337546.tif 000005
【図４】
2004337546.tif 000006
【図５】
2004337546.tif 000007
【図６】
2004337546.tif 000008